(57)【特許請求の範囲】
【請求項１】
液晶パネルと、この液晶パネルの外周に嵌合される矩形枠形のベゼルと、このベゼルの４隅のコーナ部のそれぞれに設けられて外側へ突き出た突出片と、上記ベゼルとの間で上記液晶パネルを挟み込む枠フレームと、この枠フレームの４隅のコーナ部のそれぞれに設けられている鍔形突片と、上記突出片と上記鍔形突片との重なり部を結合している固定機構とを備える液晶表示装置において、 
上記重なり部が、上記ベゼルの対角方向に並んでいる２箇所の第１重なり箇所と、上記ベゼルの他の対角方向に並んでいる２箇所の第２重なり箇所とに区別されていて、上記第１重なり箇所では、上記突出片と上記鍔形突片とがビス止めされているのに対し、上記第２重なり箇所では、上記鍔形突片に設けられた突起が上記突出片に形成されている孔部に嵌合して上記ベゼルを位置決めし、かつ、上記枠フレームの側面に突出状態で設けられた係合爪が上記ベゼルに形成されている係合孔に係合して上記枠フレームに対して上記ベゼルを抜止めしていることを特徴とする液晶表示装置。 
【請求項２】
上記ベゼルが板金製であってそのベゼルに上記突出片が折曲形成され、上記鍔形突片が上記枠フレームに樹脂で一体成形されている請求項１に記載の液晶表示装置。
【発明の詳細な説明】
【技術分野】
【０００１】
本発明は、液晶表示装置、特に、矩形枠形のベゼルと枠フレームとの間に液晶パネルが挟み込まれていて、ベゼルと枠フレームとが４隅のコーナ部で結合されている構成の液晶表示装置に関する。
【背景技術】
【０００２】
この種の液晶表示装置に関して、ベゼルと枠レームとを結合するための固定機構には、多くの場合にビス止め機構が採用されている。しかも、略矩形に形成されているベゼルと枠フレームは、その４隅のコーナ部でビス止めされていることが多い（たとえば、特許文献１、同文献２、同文献３参照）。
【０００３】
この点を、特許文献１に記載されている構成を示した図５を参照して次に説明する。
【０００４】
図５はテレビジョン受像機に用いられる液晶モジュール（液晶表示装置）の基本構成を示した分解斜視図である。この液晶モジュールは、液晶パネル１と、この液晶パネル１の外周に嵌合される矩形枠形のベゼル２と、このベゼル２との間で液晶パネル１を挟持する枠フレーム３と、この枠フレーム３によって囲まれた空間に配備されるバックライト用の線状光源４と、線状光源４の光を液晶パネル１に向けて反射させる反射シート５と、枠フレーム３との間で反射シート３を挟持する背面板６とを備えているほか、光拡散用のシート７１及びパネル７２、クッションスペーサ７３、中継基板８１，８２などを備えている。そして、ベゼル２はその４隅のコーナ部に外側へ突き出た突出片２１を備えていて、それらの突出片２１が枠フレーム３の４隅に設けられている鍔形突片３１に重ね合わされてそれらの重なり箇所が止めビス９１を用いてビス止めされる。
【０００５】
図６は図５を参照して説明した液晶モジュールの平面図、図７は図６の要部についての斜視図である。図６又は図７のように、この液晶モジュールでは、枠フレーム３の鍔形突片３１が４隅のコーナ部でベゼル２の４隅のコーナ部に備わっている突出片２１に重なり合っていて、それらの重なり箇所が１本ずつの止めビス９１を用いて結合されている。したがって、特許文献１などによって提案されている液晶表示装置では、固定機構が４本の止めビス９１を用いるビス止め機構によって構成されている。
【特許文献１】特開２００６−３５０２１８号公報
【特許文献２】特開平６−２２２３３５号公報
【特許文献３】特開２００６−３９１５９号公報
【発明の開示】
【発明が解決しようとする課題】
【０００６】
しかしながら、図５及び図６を参照して説明した液晶モジュールのように、固定機構に４本の止めビス９１を用いるビス止め機構を採用すると、組立工程で止めビス９１をねじ込んで締め付ける回数が最低でも４回必要になって、そのような止めビス９１の締め付け作業に時間がかかり、そのことが生産性ないし量産性を高めることを阻害する要因になっていた。
【０００７】
本発明は以上の問題に鑑みてなされたものであり、液晶パネルを挟み込んでいる矩形枠形のベゼルと枠フレームとを固定機構によってそれらの４隅のコーナ部で結合する場合に、固定機構に必要な止めビスの必要本数を特許文献１に記載されている液晶モジュールに必要とされている４本から２本に削減することができるようにして、組立工程での止めビスの締付け回数を減らして生産性ないし量産性を改善することができるものでありながら、ベゼルと枠フレームとが強固にかつ確実に結合されている液晶表示装置を提供することを目的とする。
【課題を解決するための手段】
【０００８】
本発明に係る液晶表示装置は、液晶パネルと、この液晶パネルの外周に嵌合される矩形枠形のベゼルと、このベゼルの４隅のコーナ部のそれぞれに設けられて外側へ突き出た突出片と、上記ベゼルとの間で上記液晶パネルを挟み込む枠フレームと、この枠フレームの４隅のコーナ部のそれぞれに設けられている鍔形突片と、上記突出片と上記鍔形突片との重なり部を結合している固定機構とを備える液晶表示装置において、上記重なり部が、上記ベゼルの対角方向に並んでいる２箇所の第１重なり箇所と、上記ベゼルの他の対角方向に並んでいる２箇所の第２重なり箇所とに区別されていて、上記第１重なり箇所では、上記突出片と上記鍔形突片とがビス止めされているのに対し、上記第２重なり箇所では、上記鍔形突片に設けられた突起が上記突出片に形成されている孔部に嵌合して上記ベゼルを位置決めし、かつ、上記枠フレームの側面に突出状態で設けられた係合爪が上記ベゼルに形成されている係合孔に係合して上記枠フレームに対して上記ベゼルを抜止めしている、というものである。
【０００９】
この発明においては、上記ベゼルが板金製であってそのベゼルに上記突出片が折曲形成され、上記鍔形突片が上記枠フレームに樹脂で一体成形されている、という構成を採用することが可能である。
【００１０】
上記のように構成されている本発明に係る液晶表示装置によれば、ベゼルと枠フレームとの４隅のコーナ部を結合する固定機構に用いられる止めビスの本数が、第１重なり箇所で突出片と鍔形突片とを結合することに用いられる２本だけになり、第２重なり箇所では、突起と孔部との嵌合構造及び係合爪と係合孔との係合構造によってベゼルと枠フレームとが結合されるために、この第２重なり箇所には止めビスを用いる必要がない。そのため、止めビスの必要本数や組立工程での止めビスの締付け回数が削減されて生産性ないし量産性が改善される。それにもかかわらず、第２重なり箇所では、突起と孔部との嵌合構造及び係合爪と係合孔との係合構造が採用されていて、これらの嵌合構造及び係合構造によって止めビスを用いるビス止め構造と遜色のない結合強度が確保されるようになる。したがって、固定機構全体の作用によって、ベゼルと枠フレームとを強固にかつ確実に結合されるようになる。
【発明の効果】
【００１１】
以上のように、本発明によれば、液晶パネルを挟み込んでいる矩形枠形のベゼルと枠フレームとを固定機構によってそれらの４隅のコーナ部で結合する場合に、固定機構に必要な止めビスの必要本数が特許文献１に記載されている液晶モジュールに必要とされている４本から２本に削減されている。そのために、液晶表示装置の組立工程での止めビスの必要本数や締付け回数を減らして生産性ないし量産性を改善することができ、そのことが部品コストや製作コストを低減することに役立つ。
【００１２】
それにもかかわらず、固定機構における止めビス削減箇所である第２重なり箇所では、突起と孔部との嵌合構造及び係合爪と係合孔との係合構造によってビス止めの場合と遜色のない結合強度が確保されているために、ベゼルと枠フレームとの全体的な結合強度が特許文献１に示された液晶モジュールと同等に確保されるという効果が奏される。
【発明を実施するための最良の形態】
【００１３】
図１は本発明の実施形態に係る液晶表示装置の分解斜視図、図２は同液晶表示装置の概略平面図、図３は図２の要部についての分解斜視図、図４は図２の要部についての斜視図である。
【００１４】
図１のように、この液晶表示装置はテレビジョン受像機用であって、液晶パネル１と、この液晶パネル１の外周に嵌合される板金製のベゼル２と、ベゼル２との間で液晶パネル１を挟持する樹脂成形体でなる枠フレーム３と、この枠フレーム３によって囲まれた空間に配備されるバックライト用の線状光源４と、この線状光源４の光を液晶パネル１に向けて反射させる反射シート５と、枠フレーム３との間で反射シート３を挟持する背面板６とを備えているほか、光拡散用のシート７１及びパネル７２、クッションスペーサ７３、中継基板８１，８２などを備えている。また、図例の液晶表示装置では、ベゼル２が第１及び第２の２つの部材２５，２６に分割されている。
【００１５】
図２のように、第１部材２５及び第２部材２６は、矩形枠形のベゼル２をその対角方向に位置する２つのコーナ部で２分割することによって略対称形状のＬ形に構成されている。そのため、これらの部材２５，２６を板金製ワークから打ち抜くときには、第１部材２５の入隅部に第２部材の出隅部を合わせて打ち抜くというパターンを採用することによって材料ロスを最少限度に抑えることができるという利点がある。
【００１６】
第１部材２５と第２部材２６とを矩形枠形のベゼル２に組み立てるときには、第１部材２５の一方側の分割端に設けられた突片と第２部材２６の一方側に設けられた突片とが互いに重ね合わされてその重なり箇所ａ（図２参照）がビス止めされる。同様に、第１部材２５の他方側の分割端に設けられた突片と第２部材２６の他方側に設けられた突片とも互いに重ね合わされてその重なり箇所ｂ（図２参照）がビス止めされる（この点については後述する）。
【００１７】
図２によって判るように、この実施形態では、第１部材２５と第２部材２６とを組み合わせることによって形成されている矩形枠形のベゼル２には、その４隅のコーナ部のそれぞれに外側へ突き出た突出片２７，２８が折曲形成されている。図例では、これら４隅のコーナ部の突出片２７，２８のうち、ベゼル２の一方の対角方向に並んでいる２箇所の突出片２７は、上記した重なり箇所ａ，ｂで互いに重なり合っている２枚の突片によって形成されている。また、他方の対角方向に並んでいる２箇所の突出片２８は、第１部材２５及び第２部材２６のそれぞれのコーナ部に折曲形成されている。
【００１８】
これに対し、ベゼル２を結合する相手方部材である枠フレーム３には、その４隅のコーナ部のそれぞれに外側へ突き出た鍔形突片３１が樹脂で一体成形されている。そして、ベゼル２と枠フレーム３とを合わせたときに互いに重なり合う突出片２７，２８と鍔形突片３１との重なり部が、ベゼル２の対角方向に並んでいる２箇所の第１重なり箇所Ｘ１と、ベゼル２の他の対角方向に並んでいる２箇所の第２重なり箇所Ｘ２とに区別されていて、それらの第１及び第２の各重なり箇所Ｘ１，Ｘ２が固定機構によって結合されている。
【００１９】
この実施形態では、ベゼル２と枠フレーム３とを結合している構成が、第１重なり箇所Ｘ１と第２重なり箇所Ｘ２とで異なっている。
【００２０】
このうち、第１重なり箇所Ｘ１では、上記した第１部材２５及び第２部材２６の各突片の重なり箇所ａをビス止めすることに用いられる止めビス９１が、その重なり箇所ａを鍔形突片３１にビス止めすることにも兼用されている。
【００２１】
これに対し、第２重なり箇所Ｘ２には止めビスを用いない結合構造が採用されている。すなわち、図３に示したように、枠フレーム３側では、その鍔形突片３１に円形ボス形の突起３２が上向きに一体成形されていると共に、枠フレーム３の側面に横向きに係合爪３３が一体成形されている。ベゼル２側では、その突出片２８に円形の孔部２２が形成されていると共に、ベゼル２の側面に係合孔２３が形成されている。そして、図４に示したように、突起３２が突出片２８の孔部２２に嵌合してベゼル２を枠フレーム３に対して位置決めし、かつ、係合爪３３がベゼル２の係合孔２３に係合して枠フレーム３に対してベゼル２を抜止めしている。
【００２２】
この実施形態の液晶表示装置によれば、ベゼル２と枠フレーム３との４隅のコーナ部を結合する固定機構に用いられる止めビス９１の必要本数は、図２に示したように、第１重なり箇所Ｘ１で突出片２７と鍔形突片３１とを結合することに用いられている２本だけである。そして、第２重なり箇所Ｘ２では、突起３２と孔部２２との嵌合構造及び係合爪３３と係合孔２３との係合構造によってベゼル２と枠フレーム３とが結合されていて、第２重なり箇所Ｘ２には止めビスを用いる必要がなくなっている。そのため、止めビス９１の必要本数や組立工程での止めビスの締付け回数が、図５及び図６を参照して説明した特許文献１の液晶モジュールの場合の半分に削減されて生産性ないし量産性が大幅に改善されることになる。また、第２重なり箇所Ｘ２では、突起３２と孔部２２との嵌合構造及び係合爪３３と係合孔２３との係合構造によって、止めビスを用いた場合に比べても遜色のない結合強度が確保されている。したがって、固定機構全体の作用によって、ベゼル２と枠フレーム３とが強固にかつ確実に結合されている。
【００２３】
なお、図１〜図７では、同一又は相応する部分に同一の符号を付してある。
【図面の簡単な説明】
【００２４】
【図１】本発明の実施形態に係る液晶表示装置の分解斜視図である。
【図２】同液晶表示装置の概略平面図である。
【図３】図２の要部についての分解斜視図である。
【図４】図２の要部についての斜視図である。
【図５】特許文献１に示されている液晶モジュールの分解斜視図である。
【図６】図５の液晶モジュールの平面図である。
【図７】図６の要部についての斜視図である。
【符号の説明】
【００２５】
１  液晶パネル
２  ベゼル
３  枠フレーム
２２  孔部
２３  係合孔
２７，２８  突出片
３１  鍔形突片
３２  突起
３３  係合爪
９１  止めビス
Ｘ１  第１重なり箇所
Ｘ２  第２重なり箇所
【図１】
0005082638.tif 000002
【図２】
0005082638.tif 000003
【図３】
0005082638.tif 000004
【図４】
0005082638.tif 000005
【図５】
0005082638.tif 000006
【図６】
0005082638.tif 000007
【図７】
0005082638.tif 000008